(57)【特許請求の範囲】
【請求項１】
ＬＥＤ街灯台座構造であって、
鉛直に設けられるポールを含み、
前記ポールにおける下端の外壁には、環状をなす位置決め台を有し、
前記位置決め台の辺縁部には、貫通するように複数のボルト孔が鉛直方向に沿って設けられ、
前記ポールにおける下端には、リング状をなす席体が外装され、
前記席体は、鉛直方向に沿う横断面が逆Ｌ字型をなし、下端が前記位置決め台と固定して接続され、
前記席体の内径は、前記ポールの外径より大きく、
前記席体の内側壁と前記ポールとの間には、環状空気空間が形成され、
前記環状空気空間の内部には、旋転筒が鉛直方向に設けられ、
前記旋転筒は、前記ポールに外装され、
前記旋転筒は、上端内壁が前記ポールと密封を形成し、下端が前記位置決め台と回転自在に接続され、
前記席体の内側壁には、シールリングが一体成形され、
前記シールリングは、前記旋転筒に外装され、
前記シールリングは、前記環状空気空間を、連通しない上空間と下空間に分割し、
前記上空間には、環状羽根が設けられ、
前記環状羽根は、前記旋転筒と固定して接続され、
前記下空間には、モータが固定され、
前記モータは、歯車伝動構造によって前記旋転筒を回転させ、
前記下空間には、Ｌ字型に近い形状をなす排水管が設けられ、
前記排水管は、鉛直に設けられる進水部と、上方に傾斜して設けられる排水部と、から構成され、
前記進水部と前記排水部とは、いずれも環状をなし、両者が連通して設けられ、
前記排水部の外端は、席体から延出し、
前記シールリングには、貫通するように、前記進水部と正対する排水孔が設けられ、
前記進水部の上端は、前記排水孔に挿設され、
前記進水部と前記シールリングとは、密封し固定して接続される、
ことを特徴とするＬＥＤ街灯台座構造。
【請求項２】
前記旋転筒の上端内側壁と、前記ポールの外側壁とは、いずれも円周面であり、両者が密着して密封を形成する、
ことを特徴とする請求項１に記載のＬＥＤ街灯台座構造。
【請求項３】
前記旋転筒の内側壁には、環状オイル貯蔵タンクが設けられ、
前記環状オイル貯蔵タンクと前記旋転筒とは、同一軸線を有し、
前記環状オイル貯蔵タンクは、少なくとも二つあり、且つ前記旋転筒の軸方向に沿って配列され、
各前記環状オイル貯蔵タンクの内部には、潤滑油が充填される、
ことを特徴とする請求項２に記載のＬＥＤ街灯台座構造。
【請求項４】
前記旋転筒の外側壁には、環状の位置決め溝が形成され、
前記位置決め溝と前記旋転筒とは、同一軸線を有し、
前記位置決め溝の内部には、ガスケットが設けられ、
前記ガスケットの外側壁と前記シールリングの内側壁とは、当接して設けられる、
ことを特徴とする請求項１に記載のＬＥＤ街灯台座構造。
【請求項５】
前記歯車伝動構造は、前記旋転筒と固定して接続される副歯車と、前記モータの主軸と固定して接続される主歯車と、を含み、
前記主歯車と、前記副歯車とは、噛み合って設けられる、
ことを特徴とする請求項１に記載のＬＥＤ街灯台座構造。
【請求項６】
前記席体の上壁には、環状階段が設けられ、
前記ポールには、円環状の一様分布リングが外装され、
前記一様分布リングの辺縁部は、前記環状階段の内部に位置し、
前記一様分布リングは、前記席体と固定して接続され、
前記一様分布リングの下端面は、前記環状階段の下壁に圧着され、
前記一様分布リングの内側壁は、前記ポールの外側壁と密着して設けられ、
前記一様分布リングには、貫通するように排気孔が鉛直方向に沿って密接に配列される、
ことを特徴とする請求項１に記載のＬＥＤ街灯台座構造。
【請求項７】
前記排水孔は、形状と寸法がそれぞれ前記進水部と対応し、
前記進水部は、密接な係合によって前記シールリングと固定して接続される、
ことを特徴とする請求項１に記載のＬＥＤ街灯台座構造。
【請求項８】
前記排水管は、少なくとも二つあり、且つ前記ポールの円周方向に沿って等間隔に配列される、
ことを特徴とする請求項７に記載のＬＥＤ街灯台座構造。
【請求項９】
前記シールリングの下壁には、保温リングが密着して固定され、
前記保温リングは、前記旋転筒に外装される、
ことを特徴とする請求項１に記載のＬＥＤ街灯台座構造。
【発明の詳細な説明】
【技術分野】
【０００１】
本発明は、ＬＥＤ街灯に関し、具体的には、ＬＥＤ街灯台座構造に関する。
【背景技術】
【０００２】
ＬＥＤ街灯に採用する発光ダイオードは、固体状態の半導体構成材であり、一般にエポキシ樹脂で封止され、高強度の機械的衝撃と震動に耐え、粉砕しにくく、光度の減衰周期が長いメリットを有する。ＬＥＤは、５〜１０年の耐用年数を有するため、灯具置換のコストを大幅に下げることができ、また、極小の電流のみで発光する特徴を有するため、同じ照明効果に消耗する電量は、蛍光灯の二分の一であり、節電や省エネのメリットを有する。
【０００３】
農村には、涼をとるために、ＬＥＤ街灯の下にベンチを設置するところが多い。しかし、多くのベンチは、木材、ステンレスなど硬質の材料から作られるため、機能が単一で、体験が望ましくない。
【先行技術文献】
【特許文献】
【０００４】
【特許文献１】中国特許出願公開第１０４５４５０５８号明細書
【発明の概要】
【発明が解決しようとする課題】
【０００５】
本発明は、上記の技術的課題を解決するために、体験のいいＬＥＤ街灯台座構造を提供する。
【課題を解決するための手段】
【０００６】
上記の目的を実現するために、本発明のＬＥＤ街灯台座構造は、鉛直に設けられうポールを含み、前記ポールにおける下端の外壁には、環状をなす位置決め台を有し、前記位置決め台の辺縁部には、貫通するように複数のボルト孔が鉛直方向に沿って設けられ、前記ポールにおける下端には、リング状をなす席体が外装され、前記席体は、鉛直方向に沿う横断面が逆Ｌ字型をなし、下端が前記位置決め台と固定して接続され、前記席体の内径は、前記ポールの外径より大きく、前記席体の内側壁と前記ポールとの間には、環状空気空間が形成され、前記環状空気空間の内部には、旋転筒が鉛直方向に設けられ、前記旋転筒は、前記ポールに外装され、前記旋転筒は、上端内壁が前記ポールと密封を形成し、下端が前記位置決め台と回転自在に接続され、前記席体の内側壁には、シールリングが一体成形され、前記シールリングは、前記旋転筒に外装され、前記シールリングは、前記環状空気空間を、連通しない上空間と下空間に分割し、前記上空間には、環状羽根が設けられ、前記環状羽根は、前記旋転筒と固定して接続され、前記下空間には、モータが固定され、前記モータは、歯車伝動構造によって前記旋転筒を回転させ、前記下空間には、Ｌ字型に近い形状をなす排水管が設けられ、前記排水管は、鉛直に設けられる進水部と、上方に傾斜して設けられる排水部と、から構成され、前記進水部と前記排水部とは、いずれも環状をなし、両者が連通して設けられ、前記排水部の外端は、席体から延出し、前記シールリングには、貫通するように、前記進水部と正対する排水孔が設けられ、前記進水部の上端は、前記排水孔に挿設され、前記進水部と前記シールリングとは、密封し固定して接続される。
【０００７】
使用時に、前記席体の上壁に人が座って休む時、前記モータは、前記歯車伝動構造によって、前記旋転筒と係合して前記環状羽根を回転させて上方に風を送り、風が人の背部に沿って上方へ流れ、人に涼しさを感じさせ、特に夏など気温の高い夜に適する。雨が降る時、前記上空間内の水は、前記排水管を通って流出する。前記排水管は、排水と空気送りの作用を果たし、空気を、排気管を通って前記上空間に送って上方へ排出する。
【０００８】
前記ＬＥＤ街灯台座構造において、前記旋転筒の上端内側壁と、前記ポールの外側壁とは、いずれも円周面であり、両者が密着して密封を形成する。上記構造を採用することで、構造が簡単で、組立がしやすいメリットを有する。
【０００９】
前記ＬＥＤ街灯台座構造において、前記旋転筒の内側壁には、環状オイル貯蔵タンクが設けられ、前記環状オイル貯蔵タンクと前記旋転筒とは、同一軸線を有し、前記環状オイル貯蔵タンクは、少なくとも二つあり、且つ前記旋転筒の軸方向に沿って配列され、各前記環状オイル貯蔵タンクの内部には、潤滑油が充填される。潤滑油は、前記旋転筒と前記ポールとの接触部を潤滑にするために使用され、両者の摩擦を減少させることで、両者の寿命を延ばす。
【００１０】
前記ＬＥＤ街灯台座構造において、前記旋転筒の外側壁には、環状の位置決め溝が形成され、前記位置決め溝と前記旋転筒とは、同一軸線を有し、前記位置決め溝の内部には、ガスケットが設けられ、前記ガスケットの外側壁と、前記シールリングの内側壁とが当接して設けられる。前記ガスケットは、前記シールリングと前記旋転筒の密封効果を強化できる。
【００１１】
前記ＬＥＤ街灯台座構造において、前記歯車伝動構造は、前記旋転筒と固定して接続される副歯車と、前記モータの主軸と固定して接続される主歯車と、を含み、前記主歯車と、前記副歯車とは、噛み合って設けられる。
【００１２】
前記ＬＥＤ街灯台座構造において、前記席体の上壁には、環状階段が設けられ、前記ポールには、円環状の一様分布リングが外装され、前記一様分布リングの辺縁部は、前記環状階段の内部に位置し、前記一様分布リングは、前記席体と固定して接続され、前記一様分布リングの下端面は、前記環状階段の下壁に圧着され、前記一様分布リングの内側壁は、前記ポールの外側壁と密着して設けられ、前記一様分布リングには、貫通するように排気孔が鉛直方向に沿って密接に配列される。前記一様分布リングに、貫通するように複数の前記排気孔を鉛直方向に沿って設けることで、前記環状羽根から生じた風の勢いを弱め、風を優しく人と接触させることができ、体験を良くするとともに、外部異物を遮って前記環状空気空間に入らせなく、濾過作用を果たす。
【００１３】
前記ＬＥＤ街灯台座構造において、前記排水孔は、形状と寸法がそれぞれ前記進水部と対応し、前記進水部は、密接な係合によって前記シールリングと固定して接続される。この時、前記進水部の外側壁と、前記排水孔の内側壁とは、密接に当接して密封を形成する。
【００１４】
前記ＬＥＤ街灯台座構造において、前記排水管は、少なくとも二つあり、且つ前記ポールの円周方向に沿って等間隔に配列される。
【００１５】
前記ＬＥＤ街灯台座構造において、前記シールリングの下壁には、保温リングが密着して固定され、前記保温リングは、前記旋転筒に外装される。前記保温リングは、前記上空間と前記下空間との温度交流を遮ることができるため、モータの作動時に生じる熱量が上方へ伝達されることを減少させる。
【発明の効果】
【００１６】
本発明は、従来技術に比べ、具体的には以下の改良及び利点を有する。
【００１７】
席体の上壁に人が座って休む時、モータは、歯車伝動構造によって旋転筒と係合して環状羽根を回転させることで、上方へ風を送り、風は人の背部に沿って上方へ流れ、人を涼しく快適に感じさせ、夏など気温の高い夜に特に適しています。
【００１８】
一様分布リングに、貫通するように複数の排気孔を鉛直方向に沿って設けることで、環状羽根から送られた風の勢いを弱め、人と優しく接触させ、体験を向上させるとともに、外部異物を遮って環状空気空間に入らせなく、濾過作用を果たす。
【図面の簡単な説明】
【００１９】
本願に記載の各方向が、図１と同じ向きに装置を見た際の方向である。
【図１】ＬＥＤ街灯台座構造の構造図である。
【図２】図１におけるＡの部分の拡大構造図である。
【図３】席体の構造図である。
【発明を実施するための形態】
【００２０】
以下、図１〜図３を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００２１】
図１に示すように、本発明のＬＥＤ街灯台座構造は、鉛直に設けられるポール１を含み、ポール１の上壁には、円形をなすアーム２が固定され、アーム２とポール１とは、中心軸線が同じである。アーム２の下壁には、ソケット３が固定され、ソケット３は、少なくとも二つあり、且つアーム２の円周方向に沿って交代して等間隔に配列され、各ソケット３には、電球４が取り付けられる。ソケット３は、二つあることが好適である。ポール１における下端の外壁には、環状をなす位置決め台１ａを有し、位置決め台１ａの辺縁部には、貫通するように複数のボルト孔１ａ１が鉛直方向に沿って設けられ、ボルト孔１ａ１は、アンカーボルトを取り付けるために使用され、ポール１を位置決めすることができる。
【００２２】
具体的には、ポール１における下端には、リング状をなす席体５が外装され、席体５は、鉛直方向に沿う横断面が逆Ｌ字型をなし、席体５の下壁は、位置決め台１ａの上壁と密着し、席体５の下端は、位置決め台１ａと固定して接続される。席体５と位置決め台１ａとは、溶接手段によって固定して接続されることが好適である。席体５の内径は、ポール１の外径より大きく、席体５の内側壁とポール１との間には、環状空気空間６が形成され、環状空気空間６と席体５とは、同じ軸線を有する。
【００２３】
図１，図２に示すように、環状空気空間６の内部には、旋転筒７が鉛直方向に設けられ、旋転筒７は、ポール１に外装され、旋転筒７は、上端内壁がポール１と密封を形成し、下端が位置決め台１ａと回転自在に接続される。本実施例において、旋転筒７の上端内側壁と、ポール１の外側壁とは、いずれも円周面であり、両者が密着して密封を形成する。旋転筒７の下端は、軸受８によって位置決め台１ａと回転自在に接続される。更に、旋転筒７の内側壁には、環状オイル貯蔵タンク７ａが設けられ、環状オイル貯蔵タンク７ａと旋転筒７とは、同一軸線を有し、環状オイル貯蔵タンク７は、少なくとも二つあり、且つ旋転筒７の軸方向に沿って配列され、各環状オイル貯蔵タンク７の内部には、潤滑油が充填される。潤滑油は、旋転筒７とポール１との接触部を潤滑にするために使用され、両者の摩擦を減少させることで、両者の寿命を延ばす。
【００２４】
席体５の内側壁には、シールリング５ａが一体成形され、シールリング５ａは、旋転筒７に外装され、シールリング５ａは、環状空気空間６を、連通しない上空間６ａと下空間６ｂに分割する。具体的には、旋転筒７の外側壁には、環状の位置決め溝が形成され、位置決め溝と旋転筒７とは、同一軸線を有し、位置決め溝の内部には、ガスケット９が設けられ、ガスケット９の外側壁と、シールリング５ａの内側壁とが当接して設けられることで、上空間６ａと下空間６ｂとを安定に仕切る。上空間６ａには、環状羽根１０が設けられ、環状羽根１０は、旋転筒７と固定して接続され、好ましく、環状羽根１０と旋転筒７とは、溶接手段によって固定して接続される。下空間６ｂには、モータ１１が固定され、好ましくは、モータ１１は、図面に示されていない台座によって位置決め台１ａと固定して接続される。モータ１１は、歯車伝動構造によって旋転筒７を回転させ、本実施例において、歯車伝動構造は、旋転筒７と固定して接続される副歯車１２と、モータ１１の主軸と固定して接続される主歯車１３と、を含み、主歯車１３と、副歯車１２とは、噛み合って設けられる。
【００２５】
更に、下空間６ｂには、Ｌ字型に近い形状をなす排水管１４が設けられ、排水管１４は、鉛直に設けられる進水部１４ａと、上方に傾斜して設けられる排水部１４ｂと、から構成され、進水部１４ａと排水部１４ｂとは、いずれも環状をなし、両者が連通して設けられ、排水部１４ｂの外端は、席体５から延出し、シールリング５ａには、貫通するように、進水部１４ａと正対する排水孔が設けられ、進水部１４ａの上端は、排水孔に挿設され、進水部１４ａとシールリング５ａとは、密封し固定して接続される。本実施例において、排水孔は、形状と寸法がそれぞれ進水部１４ａと対応し、進水部１４ａは、密接な係合によってシールリング５ａと固定して接続され、この時、進水部１４ａの外側壁と、排水孔の内側壁とは、緊密に当接して密封を形成する。排水管１４は、少なくとも二つあり、且つポール１の円周方向に沿って等間隔に配列され、好ましくは、排水管１４は、四つある。
【００２６】
図１と図３に示すように、席体５の上壁には、環状階段５ｂが設けられ、環状階段５ｂと席体５とは同一軸線を有する。ポール１には、円環状の一様分布リング１５が外装され、一様分布リング１５の辺縁部は、環状階段５ｂの内部に位置し、一様分布リング１５は、席体５と固定して接続され、一様分布リング１５の下端面は、環状階段５ｂの下壁に圧着され、一様分布リング１５の内側壁は、ポール１の外側壁と密着して設けられ、一様分布リング１５には、貫通するように排気孔１５ａが鉛直方向に沿って設けられる。一様分布リング１５には、貫通するように複数の排気孔１５ａが鉛直方向に沿って設けられ、これによって、環状羽根１０から生じた風の勢いを弱め、風を優しく人と接触させることができ、体験を良くするとともに、外部異物を遮って環状空気空間に入らせなく、濾過作用を果たす。シールリング５ａの下壁には、保温リング１６が密着して固定され、保温リング１６は、旋転筒７に外装される。保温リング１６は、上空間６ａと下空間６ｂとの温度交流を遮ることができるため、モータ１１の作動時に生じる熱量が上方へ伝達されることを減少させる。好ましくは、保温リング１６とシールリング５ａとは、粘着手段によって固定して接続される。
【００２７】
使用時に、席体５の上壁に人が座って休む時、モータ１１は、歯車伝動構造によって、旋転筒７と係合して環状羽根１０を回転させて上方に風を送り、風が人の背部に沿って上方へ流れ、人に涼しさを感じさせ、特に夏など気温の高い夜に適する。雨が降る時、上空間６ａ内の水は、排水管１４を通って流出する。排水管１４は、排水と空気送りの作用を果たし、空気を、排気管を通って上空間６ａに送って上方へ排出する。
【符号の説明】
【００２８】
１  ポール
１ａ  位置決め台
１ａ１  ボルト孔
２  アーム
３  ソケット
４  電球
５  席体
５ａ  シールリング
５ｂ  環状階段
６  環状空気空間
６ａ  上空間
６ｂ  下空間
７  旋転筒
７ａ  環状オイル貯蔵タンク
８  軸受
９  ガスケット
１０  環状羽根
１１  モータ
１２  副歯車
１３  主歯車
１４  排水管
１４ａ  進水部
１４ｂ  排水部
１５  一様分布リング
１５ａ  排気孔
１６  保温リング
【要約】      （修正有）【課題】体験のいいＬＥＤ街灯構造を提供する。【解決手段】ＬＥＤ街灯構造は、鉛直に設けられるポール１を含む。ポールにおける下端の外壁には、環状をなす位置決め台１ａを有する。位置決め台の辺縁部には、貫通するように複数のボルト孔が鉛直方向に沿って設けられる。ポールにおける下端には、リング状をなす席体５が外装される。席体は、鉛直方向に沿う横断面が逆Ｌ字型をなし、下端が位置決め台と固定して接続され、内径は、ポールの外径より大きく、内側壁とポールとの間には、環状空気空間が６形成される。環状空気空間の内部には、旋転筒７が鉛直方向に設けられる。旋転筒は、ポールに外装され、上端内壁がポールと密封を形成し、下端が位置決め台と回転自在に接続される。席体の内側壁には、シールリング５ａが一体成形される。シールリングは、旋転筒に外装され、環状空気空間を、連通しない上空間６ａと下空間６ｂに分割する。【選択図】図１【図１】
0006851568.tif 000002
【図２】
0006851568.tif 000003
【図３】
0006851568.tif 000004